(57)【要約】【課題】スクリーンロックに利用する識別媒体の置き忘れのリスクを少なくすることができるスクリーンロック制御システムを提供する【解決手段】ユーザ７は、識別媒体である非接触ＩＣカード２を所持し、ＰＣ１にはリーダライタ４と圧力センサ３が接続されている。スクリーンロックがかけられているとき、スクリーンロック制御プログラム１０は、常時、リーダライタ４を監視し、リーダライタ４が検出した非接触ＩＣカード２の認証に成功すると、スクリーンロックを解除する。非接触ＩＣカード２はスクリーンロックを解除するときしか利用されないため、非接触ＩＣカード２の置き忘れのリスクを少なくすることができる。なお、人体センサである圧力センサ３を用いて、ユーザ７が離席したと判断したときに、スクリーンロック制御プログラム１０は、ＰＣ１にスクリーンロックをかける。【選択図】図１
2008171091.tif 000002
【特許請求の範囲】
【請求項１】
コンピュータを操作するユーザが所持する識別媒体と、前記識別媒体を利用して、スクリーンロックを制御するコンピュータとから少なくとも構成されるスクリーンロック制御システムであって、前記コンピュータは、前記識別媒体とデータ通信するリーダライタと、前記ユーザを検知する人体センサと、スクリーンロックがかかっている状態においては、常時、前記リーダライタを監視し、前記リーダライタが前記識別媒体を検出すると、前記リーダライタが検出した前記識別媒体を認証し、前記識別媒体の認証に成功した場合のみスクリーンロックを解除し、スクリーンロックが解除されている状態においては、常時、前記人体センサの出力を監視し、前記人体センサが前記ユーザを検出しなくなった場合にスクリーンロックをかけるロック制御手段と、を備えることを特徴とするスクリーンロック制御システム。
【請求項２】
請求項１に記載のスクリーンロック制御システムにおいて、ユーザが所持する前記識別媒体は、無線によって前記リーダライタと通信する媒体であることを特徴とするスクリーンロック制御システム。
【請求項３】
請求項１または請求項２に記載のスクリーンロック制御システムにおいて、前記コンピュータの前記ロック制御手段は、スクリーンロックが解除されている状態において、前記リーダライタが前記識別媒体を検知しているか否かを確認し、前記リーダライタが前記識別媒体を検知しているときは、前記識別媒体をユーザに所持させるための警告画面を前記コンピュータに表示させることを特徴とするスクリーンロック制御。
【請求項４】
コンピュータを操作するユーザが所持する識別媒体を利用して、前記コンピュータのスクリーンロックを制御するスクリーンロック制御方法であって、スクリーンロックがかかっている状態においては、前記ユーザが所持する前記識別媒体を認証し、前記識別媒体の認証に成功した場合のみ、スクリーンロックを解除し、スクリーンロックが解除されている状態においては、前記ユーザを検知するために前記コンピュータに備えられた人体センサが前記ユーザを検知しなくなったときに、スクリーンロックをかけることで、前記コンピュータのスクリーンロックを制御することを特徴とするスクリーンロック制御方法。
【請求項５】
請求項４に記載のスクリーンロック制御方法であって、スクリーンロックが解除されている状態においては、前記リーダライタが前記識別媒体を検知しているか否かを確認し、前記リーダライタが前記識別媒体を検知しているときは、前記識別媒体をユーザに所持させるための警告画面を前記コンピュータに表示させることを特徴とするスクリーンロック制御方法。
【請求項６】
コンピュータを操作するユーザが所持する識別媒体を利用して、スクリーンロックを制御するコンピュータであって、前記コンピュータは、スクリーンロックがかかっている状態においては、常時、前記識別媒体とデータ通信するリーダライタを監視し、前記リーダライタが前記識別媒体を検出すると、前記リーダライタが検出した前記識別媒体を認証し、前記識別媒体の認証に成功した場合のみスクリーンロックを解除し、スクリーンロックが解除されている状態においては、常時、前記コンピュータを操作する前記ユーザを検知する人体センサの出力を監視し、前記人体センサが前記ユーザを検出しなくなった場合にスクリーンロックをかけるロック制御手段と、を備えることを特徴とする。を備えることを特徴とするコンピュータ。
【請求項７】
請求項６に記載のコンピュータにおいて、前記コンピュータに備えられた前記ロック制御手段は、スクリーンロックが解除されている状態において、前記リーダライタが前記識別媒体を検知しているか否かを確認し、前記リーダライタが前記識別媒体を検知しているときは、前記識別媒体をユーザに所持させるための警告画面を前記コンピュータに表示させることを特徴とするコンピュータ。
【請求項８】
コンピュータを操作するユーザが所持する識別媒体を利用して、スクリーンロックを制御するコンピュータに組み込まれるコンピュータプログラムであって、スクリーンロックがかかっている状態においては、常時、前記識別媒体とデータ通信するリーダライタを監視し、前記リーダライタが前記識別媒体を検出すると、前記リーダライタが検出した前記識別媒体を認証し、前記識別媒体の認証に成功した場合のみスクリーンロックを解除し、スクリーンロックが解除されている状態においては、常時、前記コンピュータを操作する前記ユーザを検知する人体センサの出力を監視し、前記人体センサが前記ユーザを検出しなくなった場合にスクリーンロックをかけるロック制御手段として、前記コンピュータを機能させるためのコンピュータプログラム。
【請求項９】
請求項８に記載のコンピュータプログラムであって、スクリーンロックが解除されている状態において、前記リーダライタが前記識別媒体を検知しているか否かを確認し、前記リーダライタが前記識別媒体を検知しているときは、前記識別媒体をユーザに所持させるための警告画面を前記コンピュータに表示させる前記ロック制御手段として、コンピュータを機能させるためのコンピュータプログラム。
【発明の詳細な説明】
【技術分野】
【０００１】
本発明は、コンピュータのスクリーンロックを制御する技術に関し、更に詳しくは、ＩＣカードなどの識別媒体を利用して、コンピュータのスクリーンロックを制御する技術に関する。
【背景技術】
【０００２】
機密情報の漏洩は、機密情報を取り扱う企業に莫大な損害を与えるため、企業に設置されたパーソナルコンピュータ（以下、ＰＣ）には、不正利用を防止する様々な策が講じられるようになった。その策の一つに、ユーザがＰＣを利用しないとき、ＰＣをロックする技術がある。
【０００３】
ユーザがＰＣを利用しないとき、ＰＣをロックする技術としては、スクリーンロックが有名である。スクリーンロックとは、正規のユーザがＰＣを利用しないとき、キーボードまたはマウス等からの一切の入力を受付けなくし、コンピュータの画面表示を変化させなくする機能を意味する。
【０００４】
ＰＣのオペレーティングシステムの標準機能として備わっているスクリーンロックの場合、常時、オペレーティングシステムはキーボードまたはマウス等からの入力信号を監視し、キーボードまたはマウス等からの入力信号を受け付けていない時間が設定時間に達すると、オペレーティングシステムはＰＣにスクリーンロックをかける。
【０００５】
しかし、ＰＣのオペレーティングシステムの標準機能として備わっているスクリーンロックの場合、上述した設定時間を長くしてしまうと、ユーザが離席してからスクリーンロックされるまでに時間がかかり、その間にＰＣが不正に利用される問題がある。また、設定時間を短く設定すると、ＰＣの前で考え事をしている間にスクリーンロックがかかり、使い勝手が悪くなるという問題点がある。
【０００６】
そこで、本出願人は、ＰＣの標準機能として備わっているスクリーンロックの問題を解決する発明として、特許文献１において、ＩＣカードを利用してＰＣをスクリーンロックする発明を開示している。
【０００７】
特許文献１で開示されている発明は、ＰＣを利用するときにリーダライタに挿入されたＩＣカードから識別情報を読取り、ＩＣカードがリーダライタから抜き取られると、再び同一のＩＣカードが挿入されるまでＰＣにスクリーンロックをかける発明である。
【特許文献１】特開２００３−１６７６４１号公報
【発明の開示】
【発明が解決しようとする課題】
【０００８】
しなしながら、特許文献１の発明では、ＰＣを利用している間は必ずＩＣカードをリーダライタに挿入していなければならず、ＰＣを利用しているときに急に席を外さなければならないことが発生した場合、ＩＣカードをリーダライタから外すことを忘れてしまい、ＰＣが悪用されてしまう問題があった。
【０００９】
そこで、本発明は、スクリーンロックに利用する識別媒体（例えば、ＩＣカード）の置き忘れのリスクを少なくすることができ、更に、ＰＣを利用しているにも係らずスクリーンロックがかかることを防止できるスクリーンロック制御システム、方法、コンピュータ及びコンピュータプログラムを提供することを目的とする。
【課題を解決するための手段】
【００１０】
上述した課題を解決する第１の発明は、コンピュータを操作するユーザが所持する識別媒体と、前記識別媒体を利用して、スクリーンロックを制御するコンピュータとから少なくとも構成されるスクリーンロック制御システムであって、前記コンピュータは、前記識別媒体とデータ通信するリーダライタと、前記ユーザを検知する人体センサと、スクリーンロックがかかっている状態においては、常時、前記リーダライタを監視し、前記リーダライタが前記識別媒体を検出すると、前記リーダライタが検出した前記識別媒体を認証し、前記識別媒体の認証に成功した場合のみスクリーンロックを解除し、スクリーンロックが解除されている状態においては、常時、前記人体センサの出力を監視し、前記人体センサが前記ユーザを検出しなくなった場合にスクリーンロックをかけるロック制御手段と、を備えることを特徴とする。
【００１１】
第１の発明によれば、前記識別媒体はスクリーンロックを解除するときしか利用されないため、スクリーンロックに利用する前記識別媒体の置き忘れのリスクを少なくすることができる。更に、前記人体センサが前記ユーザを検出しなくなった場合にスクリーンロックをかけることで、前記コンピュータを利用しているにも係らずスクリーンロックがかかることを防止できる。
【００１２】
なお、本発明において、前記識別媒体とは、ＩＣカード、無線タグ或いはＵＳＢキーなど、所持するユーザを識別するために利用される媒体を意味し、更に、前記人体センサとは、圧力センサ、赤外線センサ或いは超音波センサなど、人体を検知するために利用されるセンサを意味する。
【００１３】
更に、第２の発明は、第１の発明に記載のスクリーンロック制御システムにおいて、ユーザが所持する前記識別媒体は、無線によって前記リーダライタと通信する媒体であることを特徴とする。
【００１４】
第２の発明によれば、無線によって前記リーダライタと通信する前記識別媒体とすることで、前記コンピュータのユーザは、前記識別媒体を前記リーダライタにかざすだけでよく、前記識別媒体の置き忘れのリスクを更に少なくすることができる。
【００１５】
更に、第３の発明は、第１の発明または第２の発明に記載のスクリーンロック制御システムにおいて、前記コンピュータの前記ロック制御手段は、スクリーンロックが解除されている状態において、前記リーダライタが前記識別媒体を検知しているか否かを確認し、前記リーダライタが前記識別媒体を検知しているときは、前記識別媒体をユーザに所持させるための警告画面を前記コンピュータに表示させることを特徴とする。
【００１６】
第３の発明によれば、スクリーンロックが解除されている状態において、前記リーダライタが前記識別媒体を検知しているか否かを確認することで、前記識別媒体の置き忘れを確認でき、前記識別媒体が前記リーダライタに置き忘れていた場合に前記警告画面を表示することで、前記識別媒体の置き忘れのリスクを更に少なくすることができる。
【００１７】
更に、第４の発明は、コンピュータを操作するユーザが所持する識別媒体を利用して、前記コンピュータのスクリーンロックを制御するスクリーンロック制御方法であって、スクリーンロックがかかっている状態においては、前記ユーザが所持する前記識別媒体を認証し、前記識別媒体の認証に成功した場合のみ、スクリーンロックを解除し、スクリーンロックが解除されている状態においては、前記ユーザを検知するために前記コンピュータに備えられた人体センサが前記ユーザを検知しなくなったときに、スクリーンロックをかけることで、前記コンピュータのスクリーンロックを制御することを特徴とする。
【００１８】
更に、第５の発明は、第４の発明に記載のスクリーンロック制御方法であって、スクリーンロックが解除されている状態においては、前記リーダライタが前記識別媒体を検知しているか否かを確認し、前記リーダライタが前記識別媒体を検知しているときは、前記識別媒体をユーザに所持させるための警告画面を前記コンピュータに表示させることを特徴とする。
【００１９】
第４の発明及び第５の発明によれば、上述した第１の発明及び第３の発明と同様の効果が得られる。
【００２０】
更に、第６の発明は、コンピュータを操作するユーザが所持する識別媒体を利用して、スクリーンロックを制御するコンピュータであって、前記コンピュータは、スクリーンロックがかかっている状態においては、常時、前記識別媒体とデータ通信するリーダライタを監視し、前記リーダライタが前記識別媒体を検出すると、前記リーダライタが検出した前記識別媒体を認証し、前記識別媒体の認証に成功した場合のみスクリーンロックを解除し、スクリーンロックが解除されている状態においては、常時、前記コンピュータを操作する前記ユーザを検知する人体センサの出力を監視し、前記人体センサが前記ユーザを検出しなくなった場合にスクリーンロックをかけるロック制御手段と、を備えることを特徴とする。
【００２１】
更に、第７の発明は、第６の発明に記載のコンピュータにおいて、前記コンピュータに備えられた前記ロック制御手段は、スクリーンロックが解除されている状態において、前記リーダライタが前記識別媒体を検知しているか否かを確認し、前記リーダライタが前記識別媒体を検知しているときは、前記識別媒体をユーザに所持させるための警告画面を前記コンピュータに表示させることを特徴とする。
【００２２】
第６の発明及び第７の発明によれば、上述した第１の発明及び第３の発明と同様の効果が得られる。
【００２３】
更に、第８の発明は、コンピュータを操作するユーザが所持する識別媒体を利用して、スクリーンロックを制御するコンピュータに組み込まれるコンピュータプログラムであって、スクリーンロックがかかっている状態においては、常時、前記識別媒体とデータ通信するリーダライタを監視し、前記リーダライタが前記識別媒体を検出すると、前記リーダライタが検出した前記識別媒体を認証し、前記識別媒体の認証に成功した場合のみスクリーンロックを解除し、スクリーンロックが解除されている状態においては、常時、前記コンピュータを操作する前記ユーザを検知する人体センサの出力を監視し、前記人体センサが前記ユーザを検出しなくなった場合にスクリーンロックをかけるロック制御手段として、前記コンピュータを機能させるためのコンピュータプログラムである。
【００２４】
更に、第９の発明は、第８の発明に記載のコンピュータプログラムであって、スクリーンロックが解除されている状態において、前記リーダライタが前記識別媒体を検知しているか否かを確認し、前記リーダライタが前記識別媒体を検知しているときは、前記識別媒体をユーザに所持させるための警告画面を前記コンピュータに表示させる前記ロック制御手段として、前記コンピュータを機能させるためのコンピュータプログラムである。
【００２５】
第８の発明及び第９の発明によれば、上述した第１の発明及び第３の発明と同様の効果が得られる。
【発明の効果】
【００２６】
そこで、本発明は、スクリーンロックに利用する識別媒体（例えば、ＩＣカード）の置き忘れのリスクを少なくすることができ、更に、ＰＣを利用しているにも係らずスクリーンロックがかかることを防止できるスクリーンロック制御システム、方法、コンピュータ及びコンピュータプログラムを提供できる。
【発明を実施するための最良の形態】
【００２７】
ここから、本発明に係るスクリーンロック制御システムについて、図を参照しながら詳細に説明する。図１は、本発明に係るスクリーンロック制御システムを説明する図である。
【００２８】
図１に示したように本発明に係るスクリーンロック制御システムは、企業のデスク５などに適用されるシステムで、スクリーンロック制御システムのユーザ７は、識別媒体として非接触ＩＣカード２を所持し、デスク５の上には、ユーザ７が利用するＰＣ１と、非接触ＩＣカード２と無線で通信するリーダライタ４が設置され、デスク５の椅子６に座るユーザ７の足元には、人体センサとして圧力センサ３が設置され、リーダライタ４及び圧力センサ３はＰＣ１と接続されている。
【００２９】
ユーザ７が利用するＰＣ１には、ＰＣ１のスクリーンロックを制御するためのコンピュータプログラムであるスクリーンロック制御プログラム１０を備え、スクリーンロック制御プログラム１０は、ＰＣ１と同時に起動する常駐プログラムで、常時、リーダライタ４・圧力センサ３を監視し、ＰＣ１のスクリーンロックを制御する。
【００３０】
スクリーンロック制御プログラム１０は、ＰＣ１の起動直後、ユーザ７がスクリーンロックを掛ける操作を行ったとき、或いは、ユーザ７が椅子６から離席したときに、ＰＣ１にスクリーンロックをかける。なお、ここで言うスクリーンロックとは、キーボードまたはマウス等からの一切の入力を受付けなくし、ＰＣ１の画面表示が変化しなくなる状態を意味する。
【００３１】
スクリーンロック制御プログラム１０がスクリーンロックを解除する条件は、ユーザ７が所持する非接触ＩＣカード２の認証に成功することである。ＰＣ１にスクリーンロックがかかっているときは、常時、スクリーンロック制御プログラム１０はリーダライタ４の信号を監視する。
【００３２】
ユーザ７がリーダライタ４に非接触ＩＣカード２をかざして、リーダライタ４が非接触ＩＣカード２を検知すると、スクリーンロック制御プログラム１０は、非接触ＩＣカード２に記憶されたデータ（例えば、非接触ＩＣカード２の識別データ）などを利用して、リーダライタ４にかざされた非接触ＩＣカード２の正当性を検証する。
【００３３】
そして、非接触ＩＣカード２の認証に成功した場合のみ、スクリーンロック制御プログラム１０は、ＰＣ１にかけられたスクリーンロックを解除し、ユーザ７にＰＣ１の利用を許可する。
【００３４】
オペレーティングシステムに標準に備わっているスクリーンロックの機能は、ユーザ７がＰＣ１の椅子６から離席したことを判断するために、スクリーンロックが解除されているときは、キーボードまたはマウス等から入力信号を監視し、キーボードまたはマウス等から入力信号が来ない時間が設定時間に達すると、ユーザ７がＰＣ１の椅子６から離席したと判断し、ＰＣ１にスクリーンロックをかける。
【００３５】
これに対し、本発明に係るスクリーンロック制御システムにおいては、ＰＣ１を利用するユーザ７を検知する人体センサを、ＰＣ１を利用するユーザ７を検知できる場所に配置し、人体センサの信号を監視することで、ユーザ７の離席を判断する。
【００３６】
本実施の形態では、ＰＣ１を利用するユーザ７を検知する人体センサとして圧力センサ３を、椅子６に座るユーザ７の足元に配置し、スクリーンロックが解除されているときは、圧力センサ３の信号を監視し、ユーザ７の離席を判断する。
【００３７】
ユーザ７が椅子６に座っている間、圧力センサ３はユーザ７の足元にかかる荷重を検出し、ユーザ７が椅子６から離席すると、圧力センサ３は、ユーザ７の足元にかかる荷重を検出しなくなるため、スクリーンロック制御プログラム１０は、圧力センサ３が検出している荷重を監視することで、ユーザ７がＰＣ１の椅子６から離席したか否かを判断することができる。
【００３８】
スクリーンロック制御プログラム１０は、圧力センサ３が検出している荷重を監視し、ユーザ７がＰＣ１の椅子６から離席したと判断されるとき、ＰＣ１にスクリーンロックをかける。
【００３９】
ここから、ＰＣ１に備えられたスクリーンロック制御プログラム１０が、ＰＣ１のスクリーンロックを制御する動作について説明する。図２は、スクリーンロックがかけられているときのスクリーンロック制御プログラム１０の動作を示したフロー図、図３は、スクリーンロックが解除されているときのスクリーンロック制御プログラム１０の動作を示したフロー図である。
【００４０】
まず、図２を用いて、スクリーンロックがかけられているときのスクリーンロック制御プログラム１０の動作について説明する。ＰＣ１の起動直後、ユーザ７がスクリーンロックを掛ける操作を行ったとき、或いは、ユーザ７が椅子６から離席したときに、ＰＣ１にはスクリーンロックがかけられている。
【００４１】
ＰＣ１にスクリーンロックかけられていることは、スクリーンロック制御プログラム１０が管理するＰＣ１のメモリに設けられたフラグによって示され、ＰＣ１にスクリーンロックがかけられているとき、スクリーンロック制御プログラム１０は、キーボードまたはマウス等からの一切の入力を受付けなくし、ＰＣ１の画面表示を変化させなくすると共に、常時、リーダライタ４の信号を監視し、リーダライタ４が非接触ＩＣカード２を検知するのを待つ（ステップＳ１）。
【００４２】
ステップＳ１でリーダライタ４が非接触ＩＣカード２を検知すると、スクリーンロック制御プログラム１０は、リーダライタ４が検知した非接触ＩＣカード２を認証する（ステップＳ２）。
【００４３】
スクリーンロック制御プログラム１０が非接触ＩＣカード２を認証する方式は任意で、非接触ＩＣカード２に記憶されたカード識別データを読取ったり、非接触ＩＣカード２に認証用コードを生成させるなどして、スクリーンロック制御プログラム１０は非接触ＩＣカード２を認証する。
【００４４】
スクリーンロック制御プログラム１０が非接触ＩＣカード２の認証に失敗した場合はステップＳ１に戻り、非接触ＩＣカード２の認証に成功した場合は、キーボードまたはマウス等からの一切の入力を許可するなどして、ＰＣ１にかけられたスクリーンロックを解除し（ステップＳ３）、図２のフローは終了する。
【００４５】
図２のフローにおいて特筆すべき点は、非接触ＩＣカード２は、スクリーンロックを解除するときしか利用せず、更に、ユーザは非接触ＩＣカード２をリーダライタ４にかざすだけでよいので、スクリーンロックに利用する非接触ＩＣカード２の置き忘れのリスクを少なくすることができる。なお、更に、非接触ＩＣカード２の置き忘れのリスクを少なくしたいときは、図１に図示したように、ユーザ７は非接触ＩＣカード２を首から掛けるようにするとよい。
【００４６】
次に、図３を参照しながら、スクリーンロックが解除されているときのスクリーンロック制御プログラム１０の動作について説明する。図２のフローが実行されることで、スクリーンロック制御プログラム１０は、ＰＣ１のスクリーンロックを解除し、ＰＣ１にかけられたスクリーンロックが解除されているとき、スクリーンロック制御プログラム１０は、リーダライタ４の信号を監視し、リーダライタ４が非接触ＩＣカード２を検知していないか確認する（ステップＳ１０）。
【００４７】
ここで、スクリーンロック制御プログラム１０がリーダライタ４を監視するのは、非接触ＩＣカード２を認証した後に、リーダライタ４上に非接触ＩＣカード２が置き忘れていないか確認するためである。
【００４８】
リーダライタ４が非接触ＩＣカード２を検知している場合、スクリーンロック制御プログラム１０は、リーダライタ４上に非接触ＩＣカード２を置き忘れていると判断し、リーダライタ４上に非接触ＩＣカード２を置き忘れているを示す警告画面をＰＣ１の画面に表示した後（ステップＳ１１）、ステップＳ１０に戻る。
【００４９】
リーダライタ４が非接触ＩＣカード２を検知していない場合、スクリーンロック制御プログラム１０は、ユーザ７が椅子６から離席したことを判断するために、ユーザ７の足元に設置された圧力センサ３が検出している荷重を確認する（ステップＳ１２）。
【００５０】
スクリーンロック制御プログラム１０は、圧力センサ３が検出している荷重が既定値以上であった場合、椅子６にユーザ７は座っているものと判断しステップＳ１０に戻る。
【００５１】
ステップＳ１２において、スクリーンロック制御プログラム１０は、圧力センサ３が検出している荷重が既定値未満であった場合、椅子６からユーザ７が離席したものと判断し、キーボードまたはマウス等からの一切の入力を受付けなくするなどして、ＰＣ１にスクリーンロックをかけ（ステップＳ１３）、図３のフローは終了する。
【００５２】
なお、図３のフローにおいて、ユーザ７がログオフの操作を行ったときは（ステップＳ１４）、スクリーンロック制御プログラム１０はログオフの処理を実行し（ステップＳ１５）、図３のフローは終了する。
【００５３】
人体センサである圧力センサ３がユーザ７を検出しなくなったときにスクリーンロックをかけることで、ユーザ７がＰＣ１を利用しているにも係らずスクリーンロックがかかることを防止できる。
【００５４】
なお、本発明は、これまで説明した実施の形態に限定されることなく、種々の変形が可能であって、それらも本発明の均等の範囲である。
【００５５】
例えば、図１では、ユーザが所持する識別媒体を非接触ＩＣカード２としているが、識別媒体は非接触ＩＣカード２に限らず、接触ＩＣカード、無線タグ或いはＵＳＢキーなどを識別媒体として利用することができる。
【００５６】
更に、図１では、人体センサを圧力センサー３としているが、人体センサは圧力センサに限らず、人の熱を感知する赤外線センサや、人から反射する音波を検知する超音波センサなどを人体センサとして利用することができる。
【図面の簡単な説明】
【００５７】
【図１】スクリーンロック制御システムを説明する図。
【図２】スクリーンロックがかけられているときの動作を示したフロー図。
【図３】スクリーンロックが解除されているときの動作を示したフロー図。
【符号の説明】
【００５８】
１  ＰＣ
１０  スクリーンロック制御プログラム
２  非接触ＩＣカード
３  圧力センサ
４  リーダライタ
５  デスク
６  椅子
７  ユーザ
【図１】
2008171091.tif 000003
【図２】
2008171091.tif 000004
【図３】
2008171091.tif 000005